(57)【要約】【課題】縦置き型記録装置に対して着脱可能に構成される用紙カセット、特に用紙を鉛直姿勢又は傾斜姿勢にして収容する用紙カセットが記録装置から取り外された状態で、用紙カセットから用紙が雪崩れ落ちることを確実に防止する。【解決手段】インクジェットプリンター１は、用紙カセット１１から用紙Ｐを装置下側に向けて給送し、給装ローラー１７によって形成された反転経路部によって送り方向を反転させて装置上側に向けて搬送する略Ｕ字状の用紙搬送経路を有している。用紙カセット１１の下端はホッパーアップ／ダウンの為に可動トレイ２３として構成されているとともに、用紙カセット１１がインクジェットプリンター１から取り外された状態において可動トレイ２３を閉状態にロックするロック手段を備える。【選択図】図４
2012076913.tif 000002
【特許請求の範囲】
【請求項１】
被記録媒体に記録を行う記録装置に対して着脱可能に構成されるとともに、前記記録装置に装着された状態において被記録媒体を鉛直姿勢又は傾斜姿勢に収容する被記録媒体カセットであって、
被記録媒体送り出し方向の下流側は、少なくとも被記録媒体収容空間を覆うカバー部が、被記録媒体をカセット内に保持する閉状態と、被記録媒体を送り出し可能な開状態と、を切り換え可能に構成され、
前記被記録媒体カセットが前記記録装置から取り外された状態において、前記カバー部を前記閉状態にロックするロック手段を備える、
ことを特徴とする被記録媒体カセット。
【請求項２】
請求項１に記載の被記録媒体カセットにおいて、前記ロック手段が、前記被記録媒体カセットの前記記録装置への装着操作に応じて前記ロックを解除し、前記被記録媒体カセットの前記記録装置からの取り外し操作に応じて前記ロックを行う構成を備えている、
ことを特徴とする被記録媒体カセット。
【請求項３】
請求項１または２に記載の被記録媒体カセットにおいて、前記ロック手段が、前記カバー部に設けられたボス部と係合することで前記カバー部をロックするロック位置と、前記ボス部との係合を解除することで前記ロックを解除するロック解除位置と、を変位するロック部材と、
前記ロック部材を前記ロック位置に向けて付勢する付勢手段と、を備えて構成されている、
ことを特徴とする被記録媒体カセット。
【請求項４】
被記録媒体に記録を行う記録装置であって、
請求項１から３のいずれか１項に記載の被記録媒体カセットを着脱自在に備えたことを特徴とする記録装置。
【請求項５】
請求項４に記載の記録装置において、設置時の装置の高さ方向寸法が、少なくとも横幅方向寸法及び奥行き方向寸法のいずれか一方より大なる縦置き型に構成されている、
ことを特徴とする記録装置。
【発明の詳細な説明】
【技術分野】
【０００１】
本発明は、被記録媒体に記録を行う記録装置に対して着脱可能に構成されるとともに、前記記録装置に装着された状態において被記録媒体を鉛直姿勢又は傾斜姿勢に収容する被記録媒体カセット、およびこれを備えた記録装置に関する。
【背景技術】
【０００２】
ファクシミリやプリンター等に代表される記録装置は、例えば設置時の省スペース化（特に、平面方向の省スペース化）を目的として、或いはその他の理由により、所謂「縦置き型」に構成されることがある。即ち、設置時の装置の高さ方向寸法が、少なくとも横幅方向寸法及び奥行き方向寸法のいずれか一方より大きくなる様に構成されることがあり、この様な記録装置は、例えば特許文献１〜５に記載されている。
【先行技術文献】
【特許文献】
【０００３】
【特許文献１】特開２００６−２０５６３０号公報
【特許文献２】特開２００２−１２７７５１号公報
【特許文献３】特開２００２−２０５８５９号公報
【特許文献４】特開平０６−７９９３５号公報
【特許文献５】特開平０５−３２５７２９号公報
【発明の概要】
【発明が解決しようとする課題】
【０００４】
ところで、記録装置においては用紙を収容する用紙カセット（用紙トレイと呼ばれる場合もある）が記録装置本体に対し着脱自在に設けられる場合があり、特許文献２には、縦長な状態で使用に供されるプリンターにおいて給紙トレイが着脱可能に構成された装置が開示されている。
【０００５】
一方、用紙カセットに収容された用紙を送り出す構造としては、用紙カセットに収容された用紙に対して進退可能なピックアップローラーを利用する構造のほか、用紙カセットに収容された用紙を給送ローラーに向けてホッパーアップさせる構造を採用することができる。
【０００６】
ここで、用紙を水平に収容する非縦置き型の記録装置であれば、カセット先端側は用紙を給送ローラーに接触させるために大きく開放する構造を採用すればよいが、縦置き型の記録装置の場合、カセット先端側を大きく開放する構造にすると、カセットを立てた際に用紙が雪崩れ落ちてしまう。従って縦置き型の記録装置の場合には、カセット先端側を基本的には閉塞構造としながら、給送ローラーと接触する部位のみ開口構造とする必要がある。
【０００７】
そしてこの様な構成においてホッパーアップ型の給送構造を採用する場合には、更にカセット先端側の閉塞部位（カバー部）を可動構造（開閉可能）とする必要があるが、用紙カセットを装置本体から取り外した状態で前記カバー部が容易に開いてしまうと、用紙カセットから用紙が雪崩れ落ちてしまうことになる。
【０００８】
そこで本発明はこの様な状況に鑑み成されたものであり、その目的は、記録装置に対して着脱可能に構成される用紙カセット、特に用紙を鉛直姿勢又は傾斜姿勢にして収容する用紙カセットが記録装置から取り外された状態で、用紙カセットから用紙が雪崩れ落ちることを確実に防止することにある。
【課題を解決するための手段】
【０００９】
上記課題を解決する為に、本発明の第１の態様は、被記録媒体に記録を行う記録装置に対して着脱可能に構成されるとともに、前記記録装置に装着された状態において被記録媒体を鉛直姿勢又は傾斜姿勢に収容する被記録媒体カセットであって、被記録媒体送り出し方向の下流側は、少なくとも被記録媒体収容空間を覆うカバー部が、被記録媒体をカセット内に保持する閉状態と、被記録媒体を送り出し可能な開状態と、を切り換え可能に構成され、前記被記録媒体カセットが前記記録装置から取り外された状態において、前記カバー部を前記閉状態にロックするロック手段を備えることを特徴とする。
【００１０】
本態様によれば、被記録媒体送り出し方向の下流側に開閉可能なカバー部を備えた被記録媒体カセットは、記録装置から取り外された状態において前記カバー部を閉状態にロックするロック手段を備えるので、被記録媒体カセットが記録装置から取り外された状態においても、前記カバー部が容易に開いてしまうことがなく、被記録媒体カセットからの被記録媒体の雪崩落ちを確実に防止することができる。
【００１１】
本発明の第２の態様は、第１の態様において、前記ロック手段が、前記被記録媒体カセットの前記記録装置への装着操作に応じて前記ロックを解除し、前記被記録媒体カセットの前記記録装置からの取り外し操作に応じて前記ロックを行う構成を備えていることを特徴とする。
【００１２】
本態様によれば、前記ロック手段が、被記録媒体カセットの記録装置への着脱操作に応じて前記ロック／ロック解除を行うよう構成されているので、前記ロック／ロック解除をユーザー自らが行う必要がなく、操作が容易となるとともに、被記録媒体カセットが記録装置から取り外されると確実に前記ロック状態となるので、上記第１の態様の作用効果を確実に得ることができる。
【００１３】
本発明の第３の態様は、第１のまたは第２の態様において、前記ロック手段が、前記カバー部に設けられたボス部と係合することで前記カバー部をロックするロック位置と、前記ボス部との係合を解除することで前記ロックを解除するロック解除位置と、を変位するロック部材と、前記ロック部材を前記ロック位置に向けて付勢する付勢手段と、を備えて構成されていることを特徴とする。
【００１４】
本態様によれば、前記ロック手段が、ロック部材と付勢手段とで構成されていることから、構造簡単にして且つ低コストに前記ロック手段を構成することができる。
【００１５】
本発明の第４の態様は、被記録媒体に記録を行う記録装置であって、上記第１から第３の態様のいずれかに係る被記録媒体カセットを着脱自在に備えたことを特徴とする。本態様によれば、記録装置において、上記第１から第３の態様のいずれかと同様な作用効果を得ることができる。
【００１６】
本発明の第５の態様は、第４の態様において、設置時の装置の高さ方向寸法が、少なくとも横幅方向寸法及び奥行き方向寸法のいずれか一方より大なる縦置き型に構成されていることを特徴とする。
【００１７】
本態様によれば、記録装置は設置時の装置の高さ方向寸法が、少なくとも横幅方向寸法及び奥行き方向寸法のいずれか一方より大なる縦置き型に構成されている、即ち「縦置き型」に構成されているので、この様な設置時の省スペース化を図ることが可能な縦置き型記録装置において、上述した第１から第３の態様のいずれかの作用効果を得ることができる。
【図面の簡単な説明】
【００１８】
【図１】本発明に係るインクジェットプリンターの、全体の外観斜視図。
【図２】本発明に係るインクジェットプリンターの、用紙カセットを取り外した状態の外観斜視図。
【図３】本発明に係るインクジェットプリンターの、上部の外観斜視図。
【図４】本発明に係るインクジェットプリンターの側断面図。
【図５】本発明に係るインクジェットプリンターの側断面図。
【図６】用紙カセット（上部カバーを閉じた状態）の外観斜視図。
【図７】用紙カセット（上部カバーを開いた状態）の外観斜視図。
【図８】位置決めダンパーの取り付け部位の斜視図。
【図９】位置決めダンパーの取り付け部位の斜視図。
【図１０】（Ａ）ロック手段（ロック状態）の斜視図、（Ｂ）はロック手段（ロック解除状態）の斜視図。
【図１１】復帰ローラーの機能を示す図。
【図１２】復帰ローラーの機能を示す図。
【図１３】（Ａ）、（Ｂ）は可動トレイの他の実施形態を示す図。
【発明を実施するための形態】
【００１９】
以下、図１から図１３を参照しながら本発明に係る記録装置の一実施形態であるインクジェットプリンターについて説明する。図１は本実施形態に係るインクジェットプリンター１の、全体の外観斜視図、図２は用紙カセット１１を取り外した状態の外観斜視図、図３はインクジェトプリンター１の上部外観斜視図、図４、図５は同側断面、図６及び図７は用紙カセット１１の外観斜視図（図６は上部カバーを閉じた状態、図７は上部カバーを開いた状態）である。
【００２０】
また、図８、図９は位置決めダンパー３１の取り付け部位の斜視図、図１０（Ａ）はロック手段２８（ロック状態）の斜視図、図１０（Ｂ）はロック手段２８（ロック解除状態）の斜視図、図１１、図１２は復帰ローラー３５の機能を示す図、図１３（Ａ）、（Ｂ）は可動トレイ２３の他の実施形態を示す図である。
【００２１】
尚、図４、図５はインクジェットプリンター１の用紙搬送経路上に配置されるローラーを図示する為に、ほぼ全てのローラーを同一面上に描いているが、用紙幅方向（図４、図５の紙面表裏方向）の位置は必ずしも一致しているとは限らない（一致している場合もある）。また、各図において示すｘ−ｙ−ｚ座標系は、ｘ方向が装置の横幅方向及び用紙幅方向であり、ｙ方向が装置の奥行き方向（以下、場合により「装置の厚み方向」と言う場合もある）、ｚ方向が装置高さ方向（鉛直方向）を示している。
【００２２】
〓〓〓１．インクジェットプリンターの全体構成〓〓〓〓〓〓〓〓〓〓〓〓〓〓〓〓〓
以下、インクジェットプリンター１の全体構成について概説する。インクジェットプリンター１は、設置時の装置の高さ方向寸法が、少なくとも横幅方向寸法及び奥行き方向寸法のいずれか一方より大なる縦置き型のインクジェットプリンターであって、本実施形態では高さ方向寸法（図１において符号Ｈ）が、横幅方向寸法（図１において符号Ｗ）及び奥行き方向寸法（図１において符号Ｄ）のいずれよりも大なる様に構成されている。また、本実施形態では、横幅方向寸法Ｗが奥行き方向寸法Ｄよりも大きくなっている。
【００２３】
尚、奥行き方向（ｙ方向）や横幅方向（ｘ方向）は、本明細書では便宜的な概念で用いるものとし、つまり装置の設置時には必ずしもユーザー（使用者）に対して面積の広い横幅方向（ｘ方向）の面が対峙するとは限らず、面積の狭い奥行き方向（ｙ方向）の面が対峙する場合もあるし、これらのいずれでもなく斜め方向に設置される場合もある。但し、どの様な方向に設置された場合であっても、高さ方向（ｚ方向）は必ず鉛直（重力）方向に沿った方向となる。
【００２４】
インクジェットプリンター１は、薄型の箱状体を成す筐体２によって装置外観が構成されており、装置上面には操作ボタン等が配置されて成る操作パネル３や、インターフェースケーブルを接続する為のインターフェースケーブル接続部８が設けられている。
【００２５】
また、装置上面は複数の着脱可能なインクカートリッジ６を装着するインクカートリッジ装着部が設けられており、符号７は当該インクカートリッジ装着部を開閉する為のインクカートリッジカバーを示している。尚、このインクカートリッジカバー７は、インクカートリッジ６の交換時にユーザーにより開閉される。
【００２６】
また、装置上面には記録の行われた用紙を排出する為の用紙排出口４が設けられており、符号５は当該用紙排出口４を開閉する用紙排出口カバーを示している。尚、この用紙排出口カバー５は、ユーザーによって開閉可能に構成されているとともに、仮に閉じた状態で記録が実行されようとすると、図示を省略する開閉機構によって自動的に開くように構成されている。
【００２７】
図２において符号１１は複数枚の記録用紙（単票紙：以下「用紙Ｐ」と言う）を堆積状態で収容（セット）可能な「被記録媒体収容部」としての用紙カセットを示しており、この用紙カセット１１は図２に示す様に筐体２に対して着脱可能に構成されており、装着することで図１に示す様にインクジェットプリンター１の外観を構成し、取り外すことで装置内部の用紙搬送経路が露呈して紙ジャム処理等を行える様になっている。尚、用紙カセット１１の着脱操作は、用紙カセット１１がｙ方向において図４の位置にある状態で、ｚ方向にスライドさせることで実行可能となっている。
【００２８】
用紙カセット１１は、大略的には、図６及び図７に示す様にトレイ状のカセット本体１２に、開閉可能な上部外側カバー１５と、揺動可能な可動トレイ２３と、を備えて成る。上部外側カバー１５は、カセット本体１２の略中央部に設けられた回動支点１５ａを中心に回動することにより、図６に示す閉状態と、図７に示す開状態と、をとり得るようになっている。そして上部外側カバー１５が開いた状態では、図７に示すようにカセット本体１２の用紙収容空間が表れて、用紙Ｐを収容可能となる。
【００２９】
用紙カセット１１が装着された状態においてカセット上部（図６及び図７において左側）となる側は、用紙サイズに合わせて伸縮自在に構成されており、具体的にはカセット本体１２に対して上部スライドトレイ１８が用紙送り方向（カセット装着状態において鉛直方向）にスライド可能に設けられている。
【００３０】
また、上部外側カバー１５に対しても同様に上部内側カバー１６が用紙送り方向にスライド可能に設けられており、これら上部スライドトレイ１８及び上部内側カバー１６を用紙サイズに合わせてスライドさせることにより、用紙サイズに適した用紙収容空間を形成できる様になっている（図５の状態）。
【００３１】
次に、カセット本体１２にはエッジガイド２１が用紙幅方向にスライド可能に設けられており、このエッジガイド２１により、用紙サイズに応じた適切な位置で、セットされた用紙Ｐのエッジがガイドされる。尚、上部外側カバー１５には、長穴１５ｂがエッジガイド２１の変位方向に延びるように形成されており、この長穴１５ｂから、エッジガイド２１の一部が上部外側カバー１５の外側に突出できる様になっている（図６）。
【００３２】
上部外側カバー１５の外側に突出したエッジガイド２１の一部には、つまみ部２１ｂが接続されており、このつまみ部２１ｂにより、上部外側カバー１５を閉じた状態であっても、エッジガイド２１をスライド操作できる様になっている。即ち、上部外側カバー１５を閉じた後に、用紙エッジを適切にガイドする位置でないことが判明した場合には、上部外側カバー１５を開けることなく、エッジガイド２１が操作可能となっている。
【００３３】
次に、用紙カセット１１が装着された状態において用紙送り方向下流側となるカセット下部（図６及び図７において右側）、即ち用紙先端となる側には、可動トレイ２３が設けられている。可動トレイ２３は、所謂ホッパーとして機能するものであり、具体的には揺動支点２３ａを中心に揺動可能に設けられており、図示を省略する駆動機構の動力により揺動することにより、収容された用紙Ｐの先端を給送ローラー３７（後述）に圧接させる状態（図５）と、離間させる状態（図４）と、をとり得る様になっている。
【００３４】
可動トレイ２３は、用紙先端に対応する位置に、用紙幅方向に沿って適宜の間隔で複数の開口部２４ａが形成されており、この開口部２４ａにより、収容された用紙Ｐに対して給送ローラー３７が圧接できる様になっている。尚、符号１２ｃはカセット本体１２により構成された、用紙先端を支持する為の用紙先端支持壁である。用紙カセット１１が装着された状態において収容された用紙Ｐは、その先端が用紙先端支持壁１２ｃに当接した状態で支持される。
【００３５】
続いて、図４、図５を参照しながらインクジェットプリンター１の内部構成、具体的には用紙搬送経路について、説明する。上述の様に構成された用紙カセット１１が鉛直に装着された状態において、用紙カセット１１の先端と対向する位置には「反転ローラー」としての給送ローラー３７が設けられている。給送ローラー３７は、用紙幅方向に延びる駆動軸３７ａに、用紙幅方向に適宜の間隔を開けて複数配置されており（図２）、図示を省略するモーターにより駆動され、用紙先端と接した状態で回転することにより用紙Ｐを下流側へと送り出す。
【００３６】
給送ローラー３７によって下方へ送り出された用紙Ｐは、当該給送ローラー３７及び当該給送ローラー３７の外周面と対向配置されたガイド部材４０、４１によって上向きに反転させられ、「搬送ローラー」としての搬送駆動ローラー４６、及び搬送従動ローラー４７（用紙搬送手段を構成する）の間へと送られる。即ち、給送ローラー３７およびガイド部材４０、４１を備えて構成された「用紙反転部」により、用紙Ｐが湾曲反転する略Ｕ字状の搬送経路が形成されている。尚、符号３８は、給送ローラー３７による用紙Ｐの給送をアシストする従動ローラーである。
【００３７】
搬送駆動ローラー４６は図示しないモーターにより回転駆動されるローラーであり、本実施形態では用紙幅方向に延びる金属軸の表面に耐摩耗粒子が付着されて成り、インクジェットプリンター１の構成要素のうち重量物に属している。
【００３８】
搬送従動ローラー４７は本実施形態では樹脂材料によって形成されたローラーであり、搬送駆動ローラー４６の軸線方向に沿って適宜の間隔を開けて複数配置され、搬送駆動ローラー４６に向けて図示しない付勢手段の付勢力により付勢された状態で設けられる。そして搬送駆動ローラー４６との間で用紙Ｐを挟圧することで、従動回転する。
【００３９】
搬送駆動ローラー４６の下流側には、インクジェット記録ヘッド５９と、案内部材４８とが対向する様に設けられている。インクジェット記録ヘッド５９は、キャリッジ５８に設けられており、キャリッジ５８は、用紙幅方向に延びるキャリッジガイド軸５５にガイドされながら、図示しないモーターの動力を受けることにより用紙幅方向に往復動する様に構成されている。
【００４０】
尚、キャリッジ５８において符号５８ａは用紙幅方向に延びる形状を成すキャリッジガイド板５６を挟み込む被ガイド部を示している。即ち、キャリッジ５８はキャリッジガイド軸５５を挿通させる軸受部を有しているが、キャリッジ５８は図示する様に傾斜姿勢で設けられるため、キャリッジガイド軸５５を中心として回動しようとする傾向が生じるが、被ガイド部５８ａがキャリッジガイド板５６を挟み込むように構成されている為、上記回動傾向が止められ、キャリッジ５８の姿勢が定まる様に構成されている。
【００４１】
尚、上述した様に本実施形態ではインクカートリッジ６が装置本体の側に設けられ、即ちインクカートリッジ６がキャリッジ５８から独立して設けられた所謂オフキャリッジタイプに構成されている。しかしこれに限られず、インクカートリッジ６がキャリッジ５８に搭載された、所謂オンキャリッジタイプであっても構わない。また本実施形態では、キャリッジ５８が用紙幅方向に移動しながら記録を行う構成（シリアルプリンター）であるが、キャリッジ５８が用紙幅方向に移動しない、用紙幅をカバ−する固定式の記録ヘッドを用いても良い。更に、インクジェット記録方式に限らず、その他の記録方式であっても良い。
【００４２】
次いでインクジェット記録ヘッド５９と対向配置された案内部材４８は、樹脂材料により形成され、用紙Ｐを支持することで用紙Ｐの記録面とインクジェット記録ヘッド５９との間のギャップを規定する。また、案内部材４８は、インクジェット記録ヘッド５９と対向する面には縁無し印刷時に用紙端から外れた領域に吐出されるインクを受ける凹部（不図示）が形成されており、更にこの凹部の中には、インクを吸収するインク吸収材（不図示）が設けられている。そして更に、案内部材４８の下方には、打ち捨てられたインクを貯留する廃液タンク（不図示）が配置されている。
【００４３】
次に、インクジェット記録ヘッド５９の下流に設けられた案内ローラー４９は、用紙Ｐの案内部材４８からの浮き上がりを防止し、案内ローラー４９の下流に設けられた、排出駆動ローラー５１及び排出従動ローラー５２を備えてなる用紙排出手段は、記録の行われた用紙Ｐを装置外部に排出する。尚、本実施形態では、排出駆動ローラー５１はゴムローラーにより構成され、用紙幅方向に伸びる金属軸の軸線方向に沿って適宜の間隔を空けて複数設けられ、そして図示しないモーターにより回転駆動される。また、案内ローラー４９及び排出従動ローラー５２は、外周に沿って歯を有する歯付きローラーにより構成され、用紙Ｐと接して従動回転する。
【００４４】
次に、排出駆動ローラー５１及び排出従動ローラー５２による用紙Ｐの排出方向は、本実施形態では用紙カセット１１に向かう様に斜め上方に設定されており、これにより排出される用紙Ｐは、図５に示す様に用紙カセット１１を構成する上部外側カバー１５に摺接しながら、装置上方に排出される。尚、図５における破線は、用紙搬送経路を搬送される用紙Ｐの通過軌跡を示している。
【００４５】
〓〓〓２．可動トレイのロック手段〓〓〓〓〓〓〓〓〓〓〓〓〓〓〓〓〓〓〓〓〓〓〓
次いで、用紙カセット１１、特に可動トレイ２３及びこれをロックするロック手段２８について詳説する。上述の通り、可動トレイ２３はホッパーとして機能するものであり、揺動支点２３ａを中心に揺動可能することにより、収容された用紙束を給送ローラー３７に圧接させる状態（ホッパーアップ状態（以下、可動トレイ２３の「開状態」とも言う）：図５の状態）と、離間させる状態（ホッパーダウン状態（以下、可動トレイ２３の「閉状態」とも言う）：図４の状態）と、をとり得る様になっている。
【００４６】
この可動トレイ２３は、図４、図６に示す様に底板としての支持板２５と、用紙収容空間を覆うカバー部２４とが一体に構成されており、ホッパーアップ時（図５）には支持板２５が、収容された用紙束を給送ローラー３７に向けて押し付ける機能を果たす。また、ホッパーダウン時（図４→図４）には、カバー部２４が、用紙束を用紙カセット１２内に戻す機能を果たす。
【００４７】
可動トレイ２３は、インクジェットプリンター１の装置本体に装着された際、支持板２５が図示を省略する付勢手段と係合可能となっており、カセット装着状態ではこの付勢手段により、可動トレイ２３が常に給送ローラー３７に向けて付勢された状態となっている。一方、カバー部２４には図示を省略するカムが係合可能となっており、このカムの回転により、上記付勢手段に抗してホッパーダウン状態となり、或いは上記付勢手段の付勢力によってホッパーアップ状態となるよう構成されている。
【００４８】
ここで、可動トレイ２３は揺動することにより収容された用紙Ｐを送り出し可能な開状態と、用紙カセット１１内に留める閉状態と、を切り換える為、用紙カセット１１がインクジェットプリンター１から取り外された状態において開状態に切り換わってしまうと、収容された用紙Ｐがカセット開口部から雪崩落ちてしまうことになる。
【００４９】
このため、用紙カセット１１には、インクジェットプリンター１から取り外された状態において可動トレイ２３を閉状態にロックするロック手段２８が設けられている。このロック手段２８は、カセット本体１２の両側面に設けられた「ロック部材」としてのストッパー２９と、図示を省略する付勢手段と、を備えて構成されている。
【００５０】
ストッパー２９は、図１０に示すようにその先端に凹部２９ａを有しており、この凹部２９ａが、可動トレイ２３の先端部側面に形成されたボス部２６と係合し、即ちボス部２６が凹部２９ａに入り込むことで、可動トレイ２３が閉状態から開状態に向けて揺動しないよう、ロックされるようになっている（図１０（Ａ）の状態）。
【００５１】
尚、ロック手段２８のロック／ロック解除は、ユーザーが何らかの操作を行うことなく、用紙カセット１１の着脱操作に応じて自動的に行われる様になっている。具体的には、用紙カセット１１を装着する空間を形成する、インクジェットプリンター１本体側のフレーム９には、図９に示す様にリブ９ａが形成されている。
【００５２】
このリブ９ａは、ストッパー２９と係合可能に設けられており、用紙カセット１１をインクジェットプリンター１にセットする際に（鉛直方向に沿って下方にスライドさせながら突き当て限界まで突き当てる途中で）ストッパー２９がリブ９ａに引っ掛かり、そしてその後用紙カセット１１本体のみが、突き当て位置に向けて更に進むことで、ストッパー２９が図１０（Ｂ）に示す状態、即ちロック解除位置に切り換わるようになっている。
【００５３】
尚、用紙カセット１１が取り外されると、リブ９ａとストッパー２９との係合状態が解除されるので、ストッパー２９は再び図１０（Ａ）に示すロック位置に戻る。以上の様に、ロック手段２８のロック／ロック解除は、ユーザーが何らかの操作を行うことなく、用紙カセット１１の着脱操作に応じて自動的に行われる様になっている。
【００５４】
以上の様に、用紙カセット１１はロック手段２８を備えているので、用紙カセット１１が装置から取り外された状態においても、カバー部２３が容易に開状態に切り換わってしまうことがなく、用紙カセット１１からの用紙Ｐの雪崩落ちを確実に防止することができる。
【００５５】
尚、ロック手段２８の構成としては上記実施形態に限られず、プリンタ装置本体から用紙カセット１１を取り外した状態において可動トレイ２３を閉状態にロックするものであればどの様なものであっても構わない。また、本実施形態では可動トレイ２３は支持板２５とカバー部２４とが一体的に構成されているが、別体に構成されたものであれば、少なくとも（用紙カセットの取り外し状態において）カバー部２４を閉状態にロックするものであれば良い。
【００５６】
〓〓〓３．用紙カセット１１の位置決め手段〓〓〓〓〓〓〓〓〓〓〓〓〓〓〓〓〓〓〓
次に、用紙カセット１１の突き当て位置を規定する手段について説明する。図８、図９に示すように、用紙カセット１１の収容空間を形成するフレーム９において用紙カセット１１の装着方向奥には、位置決めダンパー３１が設けられている。尚、位置決めダンパー３１はインクジェットプリンター１本体において用紙カセット１１の両側面と対向する位置に設けられているが、同一の構成である為、以下では一方側の位置決めダンパー３１について説明する。
【００５７】
位置決めダンパー３１は、円盤形状を成し、回動軸３１ｃを中心に回動可能に設けられている。そしてその外周部には、凹部３１ａ、３１ｂと、規制突起３１ｄ、３１ｅが形成されている。尚、図９は、規制突起３１ｄを図示する為に、図８に示す状態から用紙カセット１１を取り除いたものである。
【００５８】
位置決めダンパー３１の外周と対向する位置には、板ばね３２が固定的に設けられており、この板ばね３２に形成された凸部３２ａが、位置決めダンパー３１に形成された凹部３１ａ、３１ｂに嵌合可能となっている。
【００５９】
用紙カセット１１がインクジェットプリンター１から取り外された状態では、位置決めダンパー３１の凹部３１ａと、凸部３２とが嵌合した状態となっている（図示省略）。この状態から用紙カセット１１が装着されると、用紙カセット１１の先端角部１２ｄ（図１０も参照）が位置決めダンパー３１の規制突起３１ｅを押し、これにより位置決めダンパー３１を回転させる。その結果、板ばね３２の凸部３２ａは、位置決めダンパー３１の凹部３１ａとの嵌合状態を解除し、図８に示す様に凹部３１ｂと嵌合する。
【００６０】
このとき、即ち板ばね３２の凸部３２ａが位置決めダンパー３１の凹部３１ａとの嵌合状態を解除するときは、板ばね３２のばね力が発揮されるため、用紙カセット１１を勢いよく装着しようとしても、その勢いが減衰される。これにより、用紙カセット１１のセット時に部材の破損を招くことがなく、また衝突音の発生も防止され、更に収容された用紙が衝撃で飛び出ることも防止される。
【００６１】
また、用紙カセット１１の装着状態では、規制突起３１ｄ、３１ｅの間に用紙カセット１１の先端角部１２ｄが挟まれた状態となるので、用紙カセット１１が装着位置から容易に動いてしまうことも防止される。尚、用紙カセット１１を取り外す場合は、用紙カセット１１の先端角部１２ｄが規制突起３１ｄと当接し、位置決めダンパー３１を回転させることで、凹部３１ｂと凸部３２ａ（板ばね３２）とが嵌合した状態から、凹部３１ａと凸部３２ａが嵌合する状態に切り換わる。
【００６２】
尚、用紙カセット１１の装着状態では、位置決めダンパー３１の規制突起３１ｅが、用紙カセット１１の突き当て位置を規定することとなるので、即ち位置決めダンパー３１を、用紙カセット装着時の衝撃減衰手段と装着後の位置決め手段とで兼用することができ、構成部材の低減を図ることができる。
【００６３】
〓〓〓４．可動トレイの閉塞手段、その他〓〓〓〓〓〓〓〓〓〓〓〓〓〓〓〓〓〓〓
次いで、可動トレイ２３を閉塞させる手段について説明する。用紙カセット１１が装着された状態においては、図４、図５を参照しつつ説明した様に、図示を省略する駆動機構によってホッパーアップ／ダウンの動作が行われる。
【００６４】
ここで、仮にホッパーアップした状態（図５）のまま用紙カセット１１が引き抜かれると、収容された用紙が雪崩落ちてしまう等の不具合が生じる虞がある。そこで、インクジェットプリンター１には、可動トレイ２３の上部カバー２４と対向する位置に、復帰ローラー３５が設けられている。
【００６５】
復帰ローラー３５は、ｘ方向では上部カバー２４の両側端位置近傍に設けられており、ｚ方向では用紙カセット１１の装着状態において可動トレイ２３の揺動支点２３ａ付近に設けられている。そして、仮に可動トレイ２３が開状態のまま（図５の状態）で上方向に引き抜かれようとすると、図１１から図１２への変化に示すように可動トレイ２３が復帰ローラー３５により閉状態に押し下げられる。以上により、可動トレイ２３が開状態のままで引き抜かれることがなく、収容された用紙が雪崩落ちてしまう等の不具合を防止できる。
【００６６】
尚、上述したロック手段２８との関係では、用紙カセット１１が装置本体に装着された状態から取り外される際、可動トレイ２３が完全に閉状態に戻る前に、ストッパー２９がロック解除位置（図１０（Ｂ））からロック位置（図１０（Ａ））の位置に切り換わってしまうと、ロック手段２８が正常に機能せず、可動トレイ２３を閉状態にロックできなくなる。従って、ストッパー２９が変位するタイミング（本実施形態では、リブ９ａ（図９）のｚ方向位置に依存する）を、上記不具合が生じないように設定することが好ましい。
【００６７】
次いで、図１３を参照しながら可動トレイ２３の他の実施形態について説明する。図１３（Ａ）はホッパーアップ状態からホッパーダウンする際の給紙状態を示しており、符号Ｐ１は給送されている用紙を示している。ホッパーダウンは、給送されている用紙Ｐ１の後端が用紙カセット１１から抜け出た後に行われるが、給送されている用紙Ｐ１に連れられて、次位以降の用紙が所定量用紙カセット１１から送り出されていると、この状態でホッパーダウンを実行すると用紙を可動トレイ先端（カバー部２４の先端）とガイド部材４０とで挟み込んでしまい（矢印Ｑで示す位置）、用紙先端を折り曲げてしまう虞がある。
【００６８】
そこで、可動トレイ２３の他の実施形態として、カバー部２４の先端を可動構造にすることが考えられる。図１３において符号２４’は、他の実施形態に係るカバー部を示しており、このカバー部２４’は、その先端部２４ｃが揺動支点２４ｂを中心にフリーな状態で揺動可能に構成されている。尚、この先端部２４ｃの長さ（ｚ方向長さ）は、ホッパーダウン時に用紙を用紙カセット内に戻すことに支障のない長さに設定することが好ましい。
【００６９】
カバー部先端をこの様に構成することで、図１３（Ｂ）に示す様に用紙カセット１１から用紙が所定量送り出されている状態でホッパーダウンしても、先端部２４ｃが回動することで先端部２４ｃとガイド部材４０との間で用紙を挟み込んで折り曲げてしまうことを防止できる。
【００７０】
尚、図１３の様に構成する形態のほか、例えば先端部２４ｃに相当する部分を取り除いた上で（開口部とした上で）、付勢手段により用紙先端部を用紙カセット内に収める様に構成することでも、上述した用紙挟み込みを回避することができる。
【００７１】
以上説明した実施形態は一例であり、これに限られないことは言うまでも無い。例えば、本実施形態では本発明に係る用紙カセット１１を縦置き型のインクジェットプリンターに適用したが、必ずしもこれに限られず、装置への装着時に用紙を縦方向或いは傾斜方向にセットする用紙カセットを備えた記録装置に適用可能である。また本実施形態では本発明を記録装置の一例としてのインクジェットプリンターに適用したが、液体噴射装置一般に適用することも可能である。
【００７２】
ここで、液体噴射装置とは、インクジェット式記録ヘッドが用いられ、該記録ヘッドからインクを吐出して被記録媒体に記録を行うプリンター、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００７３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【符号の説明】
【００７４】
１  インクジェットプリンター、２  筐体、３  操作パネル、４  用紙排出口、５  用紙排出口カバー、６  インクカートリッジ、７  インクカートリッジカバー、８  インターフェースケーブル接続部、９  フレーム、１１  用紙カセット、１２  カセット本体、
１２ｃ  用紙先端支持壁、１５  上部外側カバー、１５ａ  回動支点、１５ｂ  長穴、１６  上部内側カバー、１８  上部スライドトレイ、２１  エッジガイド、２１ａ  揺動支点、２１ｂ  つまみ部、２３  可動トレイ、２３ａ  揺動支点、２４  カバー部、２４ａ  開口部、２５  支持板、２６  ボス部、２８  ロック手段、２９  ストッパー、２９ａ  凹部、３１  位置決めダンパー、３１ａ、３１ｂ  凹部、３１ｃ  回動軸、３１ｄ、３１ｅ  規制突起、３２  板ばね、３２ａ  凸部、３５  復帰ローラー、３７  給送ローラー、３８  従動ローラー、４０、４１  ガイド部材、４６  搬送駆動ローラー、４７  搬送従動ローラー、４８  案内部材、４９  案内ローラー、５１  排出駆動ローラー、５２  排出従動ローラー、５５  キャリッジガイド軸、５６  キャリッジガイド板、５８  キャリッジ、５９  インクジェット記録ヘッド、Ｐ  記録用紙
【図１】
2012076913.tif 000003
【図２】
2012076913.tif 000004
【図３】
2012076913.tif 000005
【図４】
2012076913.tif 000006
【図５】
2012076913.tif 000007
【図６】
2012076913.tif 000008
【図７】
2012076913.tif 000009
【図８】
2012076913.tif 000010
【図９】
2012076913.tif 000011
【図１０】
2012076913.tif 000012
【図１１】
2012076913.tif 000013
【図１２】
2012076913.tif 000014
【図１３】
2012076913.tif 000015